(57)【要約】【課題】インクジェットヘッドのヘッド筐体を安価に作製できるようにする。【解決手段】ヘッド筐体２７はカバー２４を筐体フレーム１４に係合させることで組み立てられる。ヘッド筐体２７の互いに対向する２組の側面のうち、一方を筐体フレーム１４の側壁部１４ｇ、１４ｈで構成し、他方をカバー２４の側壁面２４ｃ、２４ｄで構成する。側壁部１４ｇ、１４ｈの上端部の間隔が基端フレーム部１４ａ側の間隔よりも狭くなるよう、側壁部１４ｈはフレーム側屈曲部１４ｑを有する。側壁面２４ｃ、２４ｄにはフレーム側屈曲部１４ｑと係合するカバー側屈曲部２４ｈが設けられる。【選択図】　図６
2004090476.tif 000002
【特許請求の範囲】
【請求項１】
筐体フレームと、前記筐体フレームに係合可能なカバーと、を有する筐体を備えたインクジェットヘッドであって、
前記筐体フレームは、フレーム本体と、前記フレーム本体から伸びる２枚の第一壁部と、を有するとともに、
前記カバーは、前記筐体フレームに係合した状態で前記２枚の第一壁部を架け渡す２枚の第二壁部を有することを特徴とするインクジェットヘッド。
【請求項２】
前記カバーが前記筐体フレームに係合した状態で、前記２枚の第二壁部の縁部が前記２枚の第一壁部と当接するとともに、
前記２枚の第一壁部の少なくとも一方は、他方に向けて曲がった屈曲部を有することを特徴とする請求項１に記載のインクジェットヘッド。
【請求項３】
前記カバーは、前記筐体フレームに係合した状態で前記フレーム本体の内側に当接する爪部を有することを特徴とする請求項１又は請求項２に記載のインクジェットヘッド。
【発明の詳細な説明】
【０００１】
【発明の属する技術分野】
本発明は、安価に作製可能なヘッド筐体を有するインクジェットヘッドに関する。
【０００２】
【従来の技術】
インクジェット記録方式により記録媒体に対して画像形成を行なうインクジェットヘッドは、インクを吐出するノズルを有したインクジェットヘッドチップ（ヘッドチップ）や、ヘッドチップ内の圧電素子を駆動させる駆動回路基板、ヘッドチップにインクを導入するインク流路といった構成要素を備えて構成される。そして、これらの構成要素は、ヘッド筐体に収納される。
従来のインクジェットヘッドでは、ヘッド筐体のうち、キャリッジに取り付けるための底部はアルミダイカスト製のフレームで形成され、この底部と接続する４ヶ所の側壁は略直方体のプラスチック製ケースで形成されていた。
【０００３】
【発明が解決しようとする課題】
しかしながら、従来のインクジェットヘッドでは、ケースを射出成形によって略直方体に作製するために、抜き勾配等の設定が煩雑となり、設計や金型製作に高い経費を要していた。そのためインクジェットヘッドの価格が高くなっていた。
本発明の課題は、ヘッド筐体の作製を容易にすることで、安価なインクジェットヘッドを提供することである。
【０００４】
【課題を解決するための手段】
請求項１に記載の発明は、筐体フレームと、前記筐体フレームに係合可能なカバーと、を有する筐体を備えたインクジェットヘッドであって、前記筐体フレームは、フレーム本体と、前記フレーム本体から伸びる２枚の第一壁部と、を有するとともに、前記カバーは、前記筐体フレームに係合した状態で前記２枚の第一壁部を架け渡す２枚の第二壁部を有することを特徴とするインクジェットヘッド。
【０００５】
請求項１に記載の発明によれば、筐体フレームが２枚の第一壁部を有し、カバーが、筐体フレームと係合した状態で２枚の第一壁部を架け渡す２枚の第二壁部を有する。そして、筐体フレームにカバーを係合させることで、ヘッド筐体が組み立てられる。この構成により、筐体フレームとカバーはいずれも略コ字型の開放部分を有した形状で作製することができる。そのため、略直方体型に形成された従来のケースに較べて、本発明に適用されるカバーは射出成形に必要な抜き勾配の設定等が容易となる。また、ヘッド筐体は筐体フレームとカバーを係合させることで容易に組み立てることができる。これらのことにより、ヘッド筐体の作製を容易にすることで安価なインクジェットヘッドを提供できる。
【０００６】
請求項２に記載の発明は、請求項１に記載のインクジェットヘッドであって、前記カバーが前記筐体フレームに係合した状態で、前記２枚の第二壁部の縁部が前記２枚の第一壁部と当接するとともに、前記２枚の第一壁部の少なくとも一方は、他方に向けて曲がった屈曲部を有することを特徴とする。
【０００７】
請求項２に記載の発明によれば、カバーを筐体フレームに係合させた時、基端フレーム部の反対側へのカバーの移動は、屈曲部によって規制される。このことで、堅固なヘッド筐体を容易に組み立てることができる。よって、請求項１に記載の発明と同様の効果を奏することができる。
【０００８】
請求項３に記載の発明は、請求項１又は請求項２に記載のインクジェットヘッドであって、前記カバーは、前記筐体フレームに係合した状態で前記フレーム本体の内側に当接する爪部を有することを特徴とする。
【０００９】
請求項３に記載の発明によれば、カバーを筐体フレームに係合させた時、爪部とフレーム本体の内側とが当接することで、カバーが開くことが防止され、ヘッド筐体の形状を容易且つ堅固に維持することができる。よって、請求項１に記載の発明と同様の効果を奏することができる。
【００１０】
【発明の実施の形態】
以下に本発明の一実施形態につき図面を参照して説明する。以下は本発明の一実施形態であって本発明を限定するものではない。
まず図１を参照して、本発明一実施形態のインクジェットプリンタの全体構成について説明する。図１は本発明一実施形態のインクジェットプリンタの全体構成図である。
【００１１】
図１に示すように本実施形態のインクジェットプリンタ１は、インクジェットヘッド２と、キャリッジ３と、キャリッジレール４と、保湿ユニット５と、メンテナンスユニット７と、インクタンク２５と、インク供給管２６と、制御手段（非図示）とを備えて構成される。
【００１２】
インクジェットプリンタ１により画像が形成される記録媒体１３は、図１における記録領域Ｃを通過するようにして、図１における主走査方向Ａと直交した副走査方向に搬送される。記録媒体１３の搬送は図示しない搬送手段によって行われる。
【００１３】
キャリッジ３はインクジェットヘッド２，２，…を搭載し、キャリッジレール４に沿ってホームポジション領域Ｂからメンテナンス領域Ｄにかけて矢印Ａ方向に移動する。記録領域Ｃにおいては、キャリッジ３の動作により、記録媒体１３上の主走査が行われる。
【００１４】
この主走査中にインクジェットヘッド２が、記録媒体１３に向けてインクを吐出することで記録媒体１３に画像を形成する。ノズル吐出方向が垂直下向きとなるようにインクジェットヘッド２を垂直置きする場合や、ノズル吐出方向が水平方向となるようにインクジェットヘッド２を水平置きする場合があるが、その他の方向でも実施可能である。いずれの場合でも、インクジェットヘッド２は、インクを吐出するためのノズルの吐出口が配列されたノズル面１５ｂが記録媒体１３と対向するように設置される。
本実施形態に係るインクジェットプリンタ１では、ブラック（Ｋ）、イエロー（Ｙ）、マゼンタ（Ｍ）、シアン（Ｃ）の４色のインクを吐出できるよう、合計で４個のインクジェットヘッド２，２，…がキャリッジ３に設置される。中央に図示されるインクジェットヘッド２の奥側にもう１つのインクジェットヘッド２が配置されている。
なお、カラー表現するためにはインクジェットヘッドを通常４個以上用いる。インクジェットヘッドの数を４〜８個とするカラープリンタが実用されている。
【００１５】
インクタンク２５はインクジェットヘッド２に供給するためのインクを貯留する。インクタンク２５は１個のインクジェットヘッド２に対して１個が設置される。インク供給管２６はインクジェットヘッド２とインクタンク２５とを連通する形態で設置され、インクタンク２５からインクジェットヘッド２にインクを導く。
【００１６】
メンテナンスユニット７はメンテナンス領域Ｄに配置され、吸引キャップ８と、清掃ブレード１１と、インク受器１２と、吸引ポンプ９と、廃インクタンク１０等を有して構成される。メンテナンスユニット７は一連のメンテナンス動作により、インクジェットヘッド２内の異物を除去してインクジェットヘッド２のインク吐出状態を良好な状態に回復させる。
【００１７】
吸引キャップ８は吸引ポンプ９を介して廃インクタンク１０と連通しており、メンテナンス動作時には上昇してインクジェットヘッド２のノズル面１５ｂを覆う。吸引キャップ８は４個が備えられる。吸引キャップ８，８，…は、上述の様に上昇した時に全てのインクジェットヘッド２，２，…のノズル面１５ｂ，１５ｂ，…を覆うことができるよう、インクジェットヘッド２，２，…のキャリッジ３での配列に対応して配列される。
吸引ポンプ９はシリンダーポンプやチューブポンプを有して構成される。吸引ポンプ９は吸引キャップ８がノズル面１５ｂを覆った状態で作動することにより、吐出口からインクジェットヘッド２内部のインクを異物とともに吸引するための吸引力を発生する。
【００１８】
清掃ブレード１１はインクジェットヘッド２のインク吸引後、ノズル面１５ｂに付着しているインクを除去する。その後、インク受器１２はインクジェットヘッド２が予備吐出したインクを受ける。廃インクタンク１０は吸引ポンプ９の動作によりインクジェットヘッド２から吸引されたインクや、インクジェットヘッド２から予備吐出されたインクを貯留する。
【００１９】
保湿ユニット５はホームポジション領域Ｂに配置され、保湿キャップ６，６，…を有して構成される。保湿キャップ６は、インクジェットヘッド２が待機状態にある時、ノズル面１５ｂを覆うことでインクジェットヘッド２，２，…のインクを保湿する。保湿キャップ６，６，…は４個が備えられる。これら４個の保湿キャップ６，６，…は、４個のインクジェットヘッド２，２，…のノズル面１５ｂ，１５ｂ，…を同時に覆うことができるよう、インクジェットヘッド２，２，…の配列に対応して配列される。
【００２０】
制御手段は、ＣＰＵ（中央演算装置）と、メモリとを有して構成され、インクジェットプリンタ１の各構成要素を制御する。メモリは、記録媒体１３に形成する画像のデータや、インクジェットプリンタ１の各構成要素を制御するためのプログラムが記憶される。ＣＰＵは、メモリに格納された画像のデータやプログラムに基づいて演算を行ない、この演算結果に基づいて各構成要素に制御信号を送信する。
【００２１】
次に、図２及び図３を参照して本発明に係るインクジェットヘッド２について説明する。
図２及び図３は本実施形態のインクジェットヘッド２の分解斜視図である。図２と図３は互いに異なる方向（ほぼ１８０度異なる）から見て描いたものである。
本実施形態のインクジェットヘッド２は、筐体フレーム１４と、インクジェットヘッドチップ（以下単に「ヘッドチップ」という。）１５と、２つのマニホールド１６ａ，１６ｂと、キャップ受け板１７と、２つのフレキシブル配線基板１８ａ，１８ｂと、２つの駆動回路基板１９ａ，１９ｂと、外部コネクタ２１と、配線支持板２２と、フレキシブル配線基板２３と、カバー２４とを備えて構成される。
ヘッドチップ１５の端部１５ａには多数のノズルが矢印Ｅ方向に連続して設けられている。具体的には、ノズル形状の孔を加工した金属や樹脂等からなるプレート（ノズルプレート）を端部１５ａの加圧室出口が設けられた端面に貼付することによりヘッドチップ１５の所定位置にノズルを設ける。その結果、ノズル出口がノズル面１５ｂに配置される。この矢印Ｅ方向に連続して設けられたノズルの列をノズル列ということとする。インクジェットヘッド２はノズル列が２列構成されたものである。これらのノズルの出口がインク吐出口となる。ヘッドチップ１５は矢印Ｅ方向に長尺な外形を有する。インクジェットヘッド２は矢印Ｅ方向と図１に図示された主走査方向Ａとが直交するようにキャリッジ３に搭載される。
【００２２】
ヘッドチップ１５はその内部に形成されたインク流路（加圧室）に充填されたインクをノズルから吐出する装置である。ヘッドチップ１５の端部１５ａのノズル入口前にはそのノズルからインクを吐出するための圧力（吐出力）を発生する圧電素子が付設されたインク流路（加圧室）が各ノズル毎に対応して形成されている。ヒータ素子等他の手段によって吐出力を発生させても良い。一方のノズル列の各ノズルへ吐出力を与える圧電素子を駆動回路基板１９ａに実装された駆動回路により駆動し、他方のノズル列の各ノズルへ吐出力を与える圧電素子を駆動回路基板１９ｂに実装された駆動回路により駆動する。そのために、駆動回路基板１９ａ，１９ｂはそれぞれフレキシブル配線基板１８ａ，１８ｂを介してヘッドチップ１５の両側面に接続される。
駆動回路基板１９ａ，１９ｂと外部との電気的接続は外部コネクタ２１、フレキシブル配線基板２３、内部コネクタ２０ａ，２０ｂにより行われる。内部コネクタ２０ａ，２０ｂは駆動回路基板１９ａ，１９ｂにそれぞれ実装されている。フレキシブル配線基板２３の外部電極は外部コネクタ２１に接続されており、この外部電極を含むフレキシブル配線基板２３の一端部は配線支持板２２上に貼付されて支持されている。フレキシブル配線基板２３の他端部は二股に分かれるように配線支持板２２から延設され、その先端にそれぞれ内部電極が形成されている。これらの内部電極が各内部コネクタ２０ａ，２０ｂに接続される。インクジェットヘッド２の実装時には、外部コネクタ２１はキャリッジ３に設置されたコネクタに接続される。
【００２３】
ヘッドチップ１５の両側面にはそれぞれマニホールド１６ａ，１６ｂが取り付けられる。マニホールド１６ａ，１６ｂのヘッドチップ１５の側面側にはフィルタ設置部ａ１，ａ２が設けられている。フィルタ設置部ａ１に対してフィルタａ３が取り付けられ、フィルタ設置部ａ２に対してフィルタａ４が取り付けられる。なお、各フィルタａ３，ａ４は、各々対応するフィルタ設置部ａ１，ａ２に熱圧着若しくは接着により取り付けられるのが好ましい。また、フィルタ設置部ａ１を図３に示し、フィルタ設置部ａ２を図２に示している。
キャップ受け板１７はマニホールド１６ａ，１６ｂに取り付けられる。このとき、キャップ受け板１７に設けられた開口部１７ａを介してノズル面１５ｂが露出する。
筐体フレーム１４に形成された流路コネクタ１４ｐに図１に示したインク供給管２６からインクが供給される。流路コネクタ１４ｐ及び流路形成部１４ｎ内に連続してインク流路が形成されており、このインク流路が各マニホールド１６ａ，１６ｂに形成されたインク流路に接続する。マニホールド１６ａ，１６ｂに到達するインクはフィルタａ３，ａ４を通過して、さらにヘッドチップ１５に形成されたインク流路（加圧室）に導入される。
キャップ受け板１７は吸引キャップ８や保湿キャップ６を受けて、これらと密着するものである。
【００２４】
筐体フレーム１４は、ヘッドチップ１５、マニホールド１６ａ，１６ｂ及びキャップ受け板１７を収納する基端フレーム部１４ａと、基端フレーム部１４ａの長手方向の両端からそれぞれ立設された側壁部１４ｇ，１４ｈと、両側壁部１４ｇ，１４ｈに架け渡すように形成された放熱板１４ｋ及びコネクタ支持部１４ｍと、両側壁部１４ｇ，１４ｈの内側にそれぞれ形成されたヘッドチップ保持部１４ｉ，１４ｊとを備える。
ヘッドチップ１５の両端部がヘッドチップ保持部１４ｉ，１４ｊにそれぞれ保持される。ヘッドチップ１５、２つのマニホールド１６ａ，１６ｂ、キャップ受け板１７及び基端フレーム部１４ａは互いに接着剤により固定される。
駆動回路基板１９ａ，１９ｂは放熱板１４ｋに接合される。コネクタ支持部１４ｍは外部コネクタ２１を支持する。
筐体フレーム１４にカバー２４が取り付けられ、ヘッド筐体２７の４側面と上端面（＝ノズル面１５ｂと反対側の面）が構成される。ヘッド筐体２７の上端面を構成するカバー２４の端面には、コネクタ保持開口２４ａが形成されている。筐体フレーム１４にカバー２４が取り付けられると、外部コネクタ２１及び配線支持板２２はコネクタ保持開口２４ａによって保持される。
また、基端フレーム部１４ａの外周には３つの支点当接部１４ｂ，１４ｃ，１４ｄと、２つのボルト挿通部１４ｅ，１４ｆとが付設されている。３つの支点当接部１４ｂ，１４ｃ，１４ｄはキャリッジ３へインクジェットヘッド２を位置決めする際に、キャリッジ３側の３支点に当接して支持される部分である。位置決め後、インクジェットヘッド２をキャリッジ３に固定するためのボルトがボルト挿通部１４ｅ，１４ｆに穿設されたボルト挿通孔に挿通される。
【００２５】
次に、図４〜図６を参照し、ヘッド筐体２７と、筐体フレーム１４と、カバー２４とについてさらに詳細に説明する。
ヘッド筐体２７は、インクジェットヘッド２の各構成要素を収納し、インクジェットヘッド２の外形をなす構成要素であり、筐体フレーム１４とカバー２４により構成される。
【００２６】
筐体フレーム１４は、アルミダイカストで形成される。筐体フレーム１４は図４で示すように基端フレーム部（フレーム本体）１４ａ、側壁部（第一壁部）１４ｇ、１４ｈを有する。
基端フレーム部１４ａはインクジェットヘッド２の底部を形成する略矩形状の枠である。基端フレーム部１４ａには、ヘッドチップ１５がノズル面１５ｂで記録媒体１３と対向する様にしてキャップ受け板１７を介して取り付けられる。
側壁部１４ｇは基端フレーム部１４ａの図４（ａ）における右側の縁部から立設され、インクジェットヘッド２の右側の側壁をなす。側壁部１４ｇは自身の幅方向から見て略直線状となるように形成される。側壁部１４ｈは、基端フレーム部１４ａの図４（ａ）における左側の縁部から立設される。側壁部１４ｈは基端フレーム部１４ａから見て側壁部１４ｇ側へ略直角に屈曲したフレーム側屈曲部１４ｑを有しており、自身の幅方向から見てクランク型の形状を有する。側壁部１４ｈの外面部にはインクをヘッドチップ１５に供給するための流路形成部１４ｎが一体に設けられている。
また、側壁部１４ｇ、１４ｈの内面部には、後述する側壁面２４ｃ、２４ｄの縁部と係合し、側壁面２４ｃ、２４ｄがインクジェットヘッド内部に入り込むことを規制する段差部１４ｒ、１４ｓが、側壁面２４ｃ、２４ｄの肉厚に応じて設けられる。
【００２７】
カバー２４は弾性のある合成樹脂で形成され、図５（ｂ）に示すように略コ字型の形状を有する。カバー２４は端面２４ｂ、前面板２４ｃ、後面板２４ｄを有して構成される。カバー２４は、前面板２４ｃ、後面板２４ｄのノズル面１５ｂ側の端部（下端部）の間隔ｄ’が端面２４ｂの幅ｄよりも狭い形態で形成される。
前面板２４ｃ、後面板２４ｄは第二壁部である。前面板２４ｃ、後面板２４ｄの形状は基端フレーム部１４ａ、側壁部１４ｇ、１４ｈと互いに縁部で係合して、側壁部１４ｇ、１４ｈを架け渡すように設定さる。前面板２４ｃ、後面板２４ｄの側壁部１４ｈと係合する側の縁部には、図４（ａ）に示すように、フレーム側屈曲部１４ｑの形状に応じて屈曲した形状のカバー側屈曲部２４ｈ、…（前面板２４ｃ側のカバー側屈曲部２４ｈのみ図示）が設けられる。さらに、前面板２４ｃ、後面板２４ｄの端面２４ｂと対向する縁部（下縁部）には、基端フレーム部１４ａの内側に入り込んで当接する爪部２４ｆ、２４ｇが設けられる。端面２４ｂは側壁部１４ｇ、１４ｈの上端部を架け渡す形態で前面板２４ｃ、後面板２４ｄを結合する構成要素であり、図２、図３で示すようにコネクタ保持開口２４ａが形成されている。
【００２８】
次に筐体フレーム１４にカバー２４を係合させてヘッド筐体２７を組み立てる手順を説明する。
筐体フレーム１４にヘッドチップ１５、駆動回路基板１９ａ、１９ｂといった各構成要素を取り付けた後、カバー２４の下端部を広げ、側壁部１４ｇ、１４ｈの上端部を前面板２４ｃ、後面板２４ｄで挟み込むようしてカバー２４を筐体フレーム１４にかぶせる。引き続いてカバー２４を基端フレーム部１４ａ側に向けて移動させる。前面板２４ｃ、後面板２４ｄの左右の縁部は、カバー２４下端部を広げることで、前面板２４ｃ、後面板２４ｄと端面２４ｂとの接続部分で生じる弾性応力により、段差部１４ｒ、１４ｓに押当される。この状態でカバー２４を下端部まで滑らせて移動することで、前面板２４ｃ、後面板２４ｄは基端フレーム部１４ａ及び側壁部１４ｇ、１４ｈと互いに縁部で当接して係合して、図６に示すようにヘッド筐体２７が形成される。さらに、図６（ｂ）に示すように、爪部２４ｆ、２４ｇが基端フレーム部１４ａの内部に入り込み、内縁部で当接する。
【００２９】
ヘッド筐体２７を構成する筐体フレーム１４及びカバー２４は、それぞれ略コ字型の形状を有する。そのため、筐体フレーム１４及びカバー２４は、設計、金型作製の際の抜き勾配等の設定が容易である。また、ヘッド筐体２７は、カバー２４を筐体フレーム１４にかぶせて係合させることで容易に形成することができるので、インクジェットヘッド２の組み立てを容易にして安価に作成することができる。
【００３０】
こうして形成されたヘッド筐体２７では、フレーム側屈曲部１４ｑとカバー側屈曲部２４ｈ、…とが係合しているため、カバー２４の上方向への移動が規制される。そのため、ヘッド筐体２７の形状を容易且つ堅固に維持してインクジェットヘッド２の各構成要素を保護することができる。また、爪部２４ｆ、２４ｇが基端フレーム部１４ａ内側で当接することで、前面板２４ｃ、後面板２４ｄが開くことが防止される。それに加えて、カバー２４は前面板２４ｃ、後面板２４ｄの下端部の間隔が端面２４ｂの間隔よりも狭くなるように形成されているので、筐体フレーム１４と係合している状態では、カバー２４の内向きに作用する弾性応力によって前面板２４ｃ、後面板２４ｄが段差部１４ｒ、１４ｓに押当され、筐体フレーム１４がカバー２４に挟持される。これらのことにより、より堅固にヘッド筐体２７の形状を維持することができる。
【００３１】
なお、本発明に係る実施形態は上述に限らない。本発明に係るフレキシブル配線基板２３はインクジェットヘッド２以外にも、電子機器外部の機器と、互いに対向して電子機器内部に設置される２枚の回路基板とを接続する形態を有する他の電子機器に適用できる。
また、インクジェットヘッド２は、ヘッドチップ１５に圧電素子を備える構成とは限らず、例えばヒータを備える構成としてもよい。
【００３２】
また、本発明において、カバー２４は前面板２４ｃ、後面板２４ｄの下端部の間隔が端面２４ｂの幅よりも広くなるように形成してもよい。この場合には、爪部２４ｆ、２４ｇが基端フレーム部１４ａの内側に対してカバー２４の外向きの弾性応力により押当されることで形状が堅固に維持される。
【００３３】
【発明の効果】
本発明によれば、インクジェットヘッドのヘッド筐体を構成するカバーや筐体フレームを容易に作製することができる。それに加えて、カバーと筐体フレームとを係合させることで、筐体ヘッドを容易且つ堅固に組み立てることができる。よって、インクジェットヘッドを安価に作製することができる。
【図面の簡単な説明】
【図１】本発明に係るインクジェットプリンタ１の概略を示す正面図である。
【図２】本発明に係るインクジェットヘッド２の分解斜視図である。
【図３】本発明に係るインクジェットヘッド２を図２に対してほぼ１８０度異なる方向から描図した分解斜視図である。
【図４】インクジェットヘッド２に適用される筐体フレーム１４の正面図（ａ）及び筐体フレーム１４をＩ−Ｉ線で切断して側壁部１４ｇ側を見た横断面図である。
【図５】インクジェットヘッド２に適用されるカバー２４の正面図（ａ）及びカバー２４をＪ−Ｊ線で切断した横断面図である。
【図６】筐体フレーム１４にカバー２４を取り付けた状態の正面図（ａ）及び筐体フレーム１４とカバー２４をＫ−Ｋ線で切断して側壁部１４ｇ側を見た横断面図である。
【符号の説明】
１　　　　　　　　　　インクジェットプリンタ
２　　　　　　　　　　インクジェットヘッド
３　　　　　　　　　　キャリッジ
１３　　　　　　　　記録媒体
１４　　筐体フレーム
１４ａ　　　　　　　基端フレーム部（フレーム本体）
１４ｇ、１４ｈ　　　　側壁部（第一壁部）
１４ｒ、１４ｓ　　　　段差部
１４ｑ　　　　　　　　　　　　フレーム側屈曲部
１５　　　　　　　　ヘッドチップ
１５ｂ　　　　　　　　　　　　ノズル面
２４　　　　　　　　カバー
２４ｂ　　　　　　　　　　　　端面
２４ｃ　　　　　　　　　　　　前面板（第二壁部）
２４ｄ　　　　　　　　　　　　後面板（第二壁部）
２４ｆ、２４ｇ　　　　爪部
２４ｈ　　　　　　　　　　　　カバー側屈曲部
２７　　　　　　　　ヘッド筐体
【図１】
2004090476.tif 000003
【図２】
2004090476.tif 000004
【図３】
2004090476.tif 000005
【図４】
2004090476.tif 000006
【図５】
2004090476.tif 000007
【図６】
2004090476.tif 000008